(57)【要約】【目的】ピントレンズと視野枠を高い組立性で結合でき、しかも小型化及びユニット化できるファインダ内表示装置を提供する。【構成】カメラのファインダ内に、フォーカスマークを付したピントレンズと、視野の大きさを規定する視野枠とを備えたファインダ内表示装置において、上記ピントレンズの挿入開口を有するピントレンズホルダを設け、上記ピントレンズに、このピントレンズ挿入開口の一方の開口端から挿入したとき該挿入開口周縁に当接してその挿入端を規定するストッパと、径方向外方に突出する一対の係止突起とを設け、上記視野枠に、上記ピントレンズ挿入開口の他方の開口端から挿入可能で、ピントレンズの上記一対の係止突起に係止される係止脚を設け、該係止脚と係止突起との係合状態で、ピントレンズの上記ストッパが挿入開口周縁に当接し、視野枠がピントレンズホルダの一面に当接することを特徴とするファインダ内表示装置。【選択図】      図３
2004184523.tif 000002
【特許請求の範囲】
【請求項１】
カメラのファインダ内に、フォーカスマークを付したピントレンズと、視野の大きさを規定する視野枠とを備えたファインダ内表示装置において、
上記ピントレンズの挿入開口を有するピントレンズホルダを設け、
上記ピントレンズに、このピントレンズ挿入開口の一方の開口端から挿入したとき該挿入開口周縁に当接してその挿入端を規定するストッパと、径方向外方に突出する一対の係止突起とを設け、
上記視野枠に、上記ピントレンズ挿入開口の他方の開口端から挿入可能で、ピントレンズの上記一対の係止突起に係止される係止脚を設け、
該係止脚と係止突起との係合状態で、ピントレンズの上記ストッパが挿入開口周縁に当接し、視野枠がピントレンズホルダの一面に当接することを特徴とするファインダ内表示装置。
【請求項２】
請求項１記載のファインダ内表示装置において、上記係止脚と係止突起との係合状態で、視野枠はさらにピントレンズの一面にも同時に当接するファインダ内表示装置。
【請求項３】
請求項１または２記載のファインダ内表示装置において、さらに、ピントレンズホルダに、視野の外側に撮影情報を表示する表示用チャートと、該表示用チャートを照明するＬＥＤと、該ＬＥＤからの照明光を表示用チャートに向けて反射する反射面とが設けられているファインダ内表示装置。
【請求項４】
請求項３記載のファインダ内表示装置において、ピントレンズホルダにはＬＥＤの収納凹部が形成され、この収納凹部の一面が上記反射面とされているファインダ内表示装置。
【請求項５】
請求項１ないし４のいずれか１項記載のファインダ内表示装置において、ファインダは、正のパワーの対物光学系、正のパワーの接眼光学系、及び４つの反射面を有する正立光学系を備え、この正立光学系の４つの反射面を接続する３本の光軸のうちの少なくとも２本が、矩形の撮影範囲の垂直方向と水平方向に対して傾斜して非平行である実像式ファインダ光学系であって、上記ピントレンズホルダは、４つの反射面を接続する傾斜した光軸上に配置されており、かつその外形は、矩形の撮影範囲と平行な外面を有する略直方体状をなし、該ピントレンズホルダのピントレンズ挿入開口は、上記傾斜した光軸と平行な面と直交する面とを有する正面矩形開口であるファインダ内表示装置。
【発明の詳細な説明】
【０００１】
【技術分野】
本発明は、カメラのファインダ装置に関し、特にそのファインダ内表示装置に関する。
【０００２】
【従来技術及びその問題点】
カメラのファインダには一般に、フォーカスマークを付したピントレンズと、視野の大きさを規定する視野枠とが設けられている。視野枠は一般に板状の部材であり、ピントレンズのフォーカスマークを付した面に貼り付けるのが普通であった。また、視野の外側に撮影情報を表示する撮影情報表示装置は、表示用チャートと照明用のＬＥＤとを不可欠としてしているが、これらを如何にコンパクトに纏めるかがファインダ装置さらにはカメラを小型化する上での鍵であった。
【０００３】
【発明の目的】
本発明は、第一にピントレンズと視野枠を高い組立性で結合できるファインダ内表示装置を得ることを目的とする。
また本発明は、撮影情報表示装置を含むファインダ内表示装置を小型化しユニット化することを目的とする。
【０００４】
【発明の概要】
本発明のファインダ内表示装置は、カメラのファインダ内に、フォーカスマークを付したピントレンズと、視野の大きさを規定する視野枠とを備えたファインダ内表示装置において、上記ピントレンズの挿入開口を有するピントレンズホルダを設け、上記ピントレンズに、このピントレンズ挿入開口の一方の開口端から挿入したとき該挿入開口周縁に当接してその挿入端を規定するストッパと、径方向外方に突出する一対の係止突起とを設け、上記視野枠に、上記ピントレンズ挿入開口の他方の開口端から挿入可能で、ピントレンズの上記一対の係止突起に係止される係止脚を設け、該係止脚と係止突起との係合状態で、ピントレンズの上記ストッパが挿入開口周縁に当接し、視野枠がピントレンズホルダの一面に当接することを特徴としている。
【０００５】
上記係止脚と係止突起との係合状態で、視野枠はさらにピントレンズの一面にも同時に当接するのが好ましい。
【０００６】
さらに、ピントレンズホルダに、視野の外側に撮影情報を表示する表示用チャートと、該表示用チャートを照明するＬＥＤと、該ＬＥＤからの照明光を表示用チャートに向けて反射する反射面とを設けのが良好である。
【０００７】
ピントレンズホルダにはＬＥＤの収納凹部を形成し、この収納凹部の一面を上記反射面とするのが実際的である。
【０００８】
ファインダが、正のパワーの対物光学系、正のパワーの接眼光学系、及び４つの反射面を有する正立光学系を備え、この正立光学系の４つの反射面を接続する３本の光軸のうちの少なくとも２本が、矩形の撮影範囲の垂直方向と水平方向に対して傾斜して非平行である実像式ファインダ光学系であって、上記ピントレンズホルダを、４つの反射面を接続する傾斜した光軸上に配置し、かつその外形を、矩形の撮影範囲と平行な外面を有する略直方体状とし、該ピントレンズホルダのピントレンズ挿入開口を、上記傾斜した光軸と平行な面と直交する面とを有する正面矩形開口とすることができる。
【０００９】
【発明の実施の形態】
本出願人は、特願２００２−８０５２９号で、「垂直方向と水平方向の各辺を有する矩形の撮影範囲を有する撮影光学系と、撮影範囲を表示する実像式ファインダ光学系とを有するカメラにおいて、実像式ファインダ光学系が、正のパワーの対物光学系、正のパワーの接眼光学系、及び４つの反射面を有する正立光学系を備え、この正立光学系の４つの反射面を接続する３本の光軸のうちの少なくとも２本が、矩形の撮影範囲の垂直方向と水平方向に対して傾斜して非平行である」ファインダ光学系を備えたカメラを提案した。
以下、本発明のファインダ内表示装置をこのファインダ光学系に適用した実施形態について説明する。
【００１０】
まず、カメラに設けたファインダ光学系の全体構成について説明する。
図２３乃至図２６はファインダ光学系を備えたカメラを示している。ファインダ光学系は、銀塩フィルムカメラ、デジタルカメラの別なく適用できるが、図２３は、カメラボディ１の左右に、フィルムカートリッジ室２と巻取スプール室３を有する銀塩式レンズシャッタカメラを示している。フィルムカートリッジ室２と巻取スプール室３の中間には、撮影光学系の正面略円形の撮影レンズ４が位置しており、ファインダ光学系５は、巻取スプール室３の上方に位置している。撮影光学系は、垂直方向と水平方向の各辺を有する矩形の撮影範囲６を有しており、ファインダ光学系５は、この撮影範囲に対応する矩形の視野範囲を有している。撮影範囲６の形状は、銀塩フィルムカメラでは撮影開口形状、デジタルカメラでは固体撮像素子の撮像面形状で決定される。
【００１１】
ファインダ光学系５は、図２４乃至図２６に示すように、物体側からの光路順に、対物光学系１０、プリズム２１、平凸レンズ１３、正メニスカスレンズ３１、平面ミラー２２、及び接眼レンズ３２を有する。対物光学系１０は、全体として正のパワーを有するもので、物体側から順に、負レンズ１１及び正レンズ１２を有する。この負レンズ１１と正レンズ１２は、対物光学系の入射光軸Ｏ１上に位置している。
【００１２】
この対物光学系の正レンズ１２の後方に位置するプリズム２１は、物体側から順に、凹面からなる入射面２１１、第１反射面２１２、第２反射面２１３、第３反射面２１４及び射出面２１５を有している。この第１反射面２１２は、カメラの上下方向に入射光軸Ｏ１を反射屈曲させる上下方向反射面であり、第３反射面２１４は、この上下方向反射面２１２で反射屈曲された光軸をさらに接眼レンズ３２の光軸（接眼光学系３０の射出光軸）Ｏ３方向に反射屈曲させる左右方向反射面である。この左右方向反射面２１４で反射屈曲された光軸を接続光軸Ｏ２とすると、平面ミラー２２は、この接続光軸Ｏ２を接眼光学系の射出光軸Ｏ３に一致させる左右方向反射面である。
【００１３】
平凸レンズ１３と正メニスカスレンズレンズ３１は接続光軸Ｏ２上に位置しており、接眼光学系３０は、接眼レンズ３２とこの正メニスカスレンズ３１とで構成されている。また、対物光学系１０による像の形成位置は平凸レンズ１３の射出面と一致しており、この射出面上に視野範囲を決定する視野枠４０が備えられている。対物光学系１０によって形成される倒立像は、プリズム２１の反射面２１２、２１３、２１４、および平面ミラー２２の合計４面の反射面で構成される正立光学系により上下左右を反転され、接眼レンズ３２を介して観察される。
【００１４】
プリズム２１の反射面２１２と２１３とは直角に交わり、この２つの反射面の組合せにより光路が２回反射されることによって、対物光学系１０による像の上下が反転される。またプリズム２１の反射面２１４と平面ミラー２２も直角に交わり、この２つの反射面の組合せにより光路が２回反射されることによって、対物光学系１０による像の左右が反転される。直角に交わる２組の反射面を、互いにねじれの位置に配置した像反転光学系はポロプリズムとして知られており、正立光学系はポロプリズムと同じ像反転作用をもっている。
【００１５】
このファインダ光学系では、接続光軸Ｏ２を、対物光学系１０への入射光軸Ｏ１と接眼光学系３０の射出光軸Ｏ３とがカメラの垂直方向に接近する方向に、カメラの水平方向に対して傾斜させて非平行とした点にある。そして、入射光軸Ｏ１の方が射出光軸Ｏ３よりも上方に位置し、接続光軸Ｏ２は、接眼光学系の射出光軸Ｏ３から三角形状の空間３４に向けて水平方向より低くなる方向に傾斜している。この構成によれば、入射光軸Ｏ１と射出光軸Ｏ３とをカメラの垂直方向に接近させることができる。カメラ外観に露出する対物光学系１０の負レンズ１１と接眼光学系３０の接眼レンズ３２は、カメラ（撮影範囲６）の垂直方向と水平方向に正しく沿う短辺と長辺を有する長方形状である。
【００１６】
また、銀塩フィルムカメラに適用した態様では、カメラ正面からみたときの巻取スプール室３と撮影レンズ４の間の略三角形状の空間３４（図２３）上に、対物光学系１０の入射光軸Ｏ１を位置させ、巻取スプール室３の上部に接眼光学系３０の射出光軸Ｏ３を位置させている。このため、巻取スプール室３と撮影レンズ４の間の略三角形状の空間３４を有効に利用でき、カメラの小型化（低背化）に寄与できる。一方、デジタルカメラでは、巻取スプール室３は存在しないが、ファインダ光学系５の以上の構成によって、同様にカメラの低背化を図ることができる。
【００１７】
接続光軸Ｏ２上に位置する視野枠４０は、接続光軸Ｏ２を以上のように傾斜させた上で（対物光学系１０の長方形の負レンズ１１を基準にすれば入射光軸Ｏ１を中心に正レンズ１２と接眼レンズ３２を除く他の要素を回転させた上で）、見掛け上の視野形状が正しい長方形形状となるように、接続光軸Ｏ２を中心に回転させる。
【００１８】
視野枠４０を回転させる方向は、正立光学系の構成やカメラのファインダ光学系５全体を回転させる方向によって異なるが、図２３乃至図２６の構成の場合は、図２６に示した如く左側面から見て時計回りに視野枠４０を回転させる。
【００１９】
このファインダ光学系５では、対物光学系１０による像の形成位置より物体側の光路中に、３つの反射面をもつプリズム２１を配置している。像形成位置より対物光学系１０側の光路は光束径の広がりが比較的小さいため、このプリズム２１の配置によれば、像形成位置より（見掛視界の大きさやアイレリーフの長さを好適なものとする必要性から光束径の広がりが大きくなる）接眼光学系側にポロプリズムを配置する従来のカメラのファインダ光学系の構成よりも、プリズム２１の大きさを小さくすることができるため、カメラのファインダ光学系５全体の上下方向の大きさを比較的小さくすることができるという利点がある。プリズム２１は対物光学系１０による像の形成位置よりも物体側にあり、これらは対物光学系１０の一部とみなすこともできる。また、平面ミラー２２は対物光学系１０による像の形成位置よりも接眼側にあり、接眼光学系３０の一部とみなすこともできる。
【００２０】
また、このファインダ光学系５では、対物光学系１０による像から接眼レンズ４２までの光路中に含まれる反射面は平面ミラー２２だけであり、これはポロプリズムに比べて反射面を配置するために必要な光路長が短くて済むため、接眼レンズ３２の焦点距離を短くすることができ、高いファインダ倍率と大きな見掛け視界を得ることができる。
【００２１】
更に、ファインダ光学系５の入射光軸と射出光軸との高さの差を小さくできる本構成によれば、カメラのファインダ光学系５の上下方向の大きさを小さくしても接眼光学系３０のレンズ径を十分大きく確保することができるため、好適な長さのアイレリーフを得ることができる。
【００２２】
以上のファインダ光学系５は、視点を変えると、正立光学系の４つの反射面２１２、２１３、２１４及び２２のうち、反射面２１２と２１３を結ぶ光軸Ｏ１’、反射面２１３と２１４を結ぶ光軸Ｏ１”、及び反射面２１４と２２を結ぶ光軸Ｏ２の３本の光軸のうち、２本の光軸Ｏ１’とＯ２が矩形の撮影範囲６の垂直方向と水平方向に対して傾斜して非平行であることを意味している。その結果、実像式ファインダ光学系５の最も物体側の反射面２１２と対物光学系１０の入射光軸Ｏ１との交点と、最も眼側の反射面２２と接眼光学系３０の射出光軸Ｏ３との交点との垂直方向の距離は、光軸Ｏ１’とＯ２とをそれぞれ撮影範囲６の垂直方向と水平方向に平行としたと仮定したときの同垂直方向の距離より短くなり、カメラの低背化に寄与する。一方、対物光学系１０の入射光軸Ｏ１と、最も眼側の反射面２２から射出する接眼光学系３０の射出光軸Ｏ３はそれぞれ、撮影光学系の光軸と平行である。
【００２３】
本発明のファインダ内表示装置５０は、上記ファインダ光学系５の接続光軸Ｏ２上に配置されるものであり、ピントレンズホルダ６０に平凸レンズ１３や視野枠４０等の複数の部品を組み付けて構成されている。
以下、ファインダ内表示装置５０について説明するが、初めに、ファインダ内表示装置５０の構成部品について説明する。
【００２４】
図４乃至図９に示すピントレンズホルダ６０は略直方体形状をなしており、その入射側面６０ａと射出側面６０ｂの間を貫通する方形のレンズ保持穴（ピントレンズ挿入開口）６１を有している。このレンズ保持穴６１の互いに平行をなす上面６１ａと下面６１ｂは、ピントレンズホルダ６０の上面と下面に対してそれぞれ傾斜しており、かつ、カメラボディ１への取り付け状態においてカメラボディ１の上面と下面に対して傾斜する。さらに、レンズ保持穴６１の互いに平行をなす両側面は、ピントレンズホルダの両側面６１ｃ、６１ｄに対して傾斜しており、かつ、カメラボディ１への取り付け状態においてカメラボディ１の両側面に対して傾斜する。
【００２５】
ピントレンズホルダ６０の入射側面６０ａには、レンズ保持穴６１の上面６１ａと下面６１ｂとに連なる計３個の係合凹部６２、６３と、レンズ保持穴６１の両側側面６１ｃ、６１ｄに連なる一対の作業用凹部６４が形成されている。また、ピントレンズホルダ６０の入射側面６０ａには、レンズ保持穴６１の下方に位置する、２個の係合突起６５が設けられている。
ピントレンズホルダ６０の射出側面６０ｂには、レンズ保持穴６１の下方に位置するように、入射側面６０ａに向かって延びる４個の収納凹部６６が、レンズ保持穴６１の下面６１ｂと平行に並べて穿設されている。各収納凹部６６の天井部には、ピントレンズホルダ６０の下面に対して傾斜する反射面６６ａが形成されている。さらに、ピントレンズホルダ６０の射出側面６０ｂには、レンズ保持穴６１の下面６１ｂと平行で、各収納凹部６６の下端部と連通する直線溝６７が形成されている。また、収納凹部６６の両側には一対の係合突起６８が設けられている。
さらに、ピントレンズホルダ６０の一方の側面には、フレキシブルプリント基板７１固定用の係合突起６９が突設されている。
【００２６】
図２０、図２１はＬＥＤユニット７０を示している。ＬＥＤユニットは７０、フレキシブルプリント基板７１の先端部に形成された取付部７２に４個のＬＥＤ７３を取り付けたものであり、フレキシブルプリント基板７１の中間部には固定穴７４が設けられている。
【００２７】
図２２はファインダ表示チャート８０を示している。ファインダ表示チャート８０は透光性材料からなるものであり、その表面には撮影情報を表す４つの図が描かれ、さらに両側部には固定穴８１と切欠穴８２が設けられている。
【００２８】
図１０乃至図１４は平凸レンズ（ピントレンズ）１３を示している。平凸レンズ１３は、レンズ保持穴６１に嵌合可能で、入射面１４ａと射出面１４ｂとを有するレンズ本体１４と、レンズ本体１４の上面と下面とに突設された、ピントレンズホルダ６０の係合凹部６２、６３に嵌合可能な計３個のストッパ１５、１６と、レンズ本体１４の両側面に突設された係止突起１７とを具備するものである。なお、平凸レンズ１３の射出面１４ｂにはフォーカスマークＦＭ（図１参照）が付されている。
【００２９】
図１５乃至図１８は視野枠４０を示している。視野枠４０は遮光性材料からなるものであり、視野枠本体４１には、長方形の開口穴４２と、開口穴４２の下方に位置する４個の表示用穴４３とが穿設されている。さらに、視野枠本体４１の両側部には一対の係止脚４４が設けられており、各係止脚４４には平凸レンズ１３の係止突起１７と係合可能な係合穴４５が設けられている。
【００３０】
図１９は絞り９０を示している。絞り９０は遮光性材料からなるものであり、方形の開口穴９１と、ピントレンズホルダ６０の係合突起６５と係合可能な一対の係合穴９２とが穿設されている。
【００３１】
次に、ファインダ内表示装置５０の組立要領について説明する。
最初にピントレンズホルダ６０にＬＥＤユニット７０を組み付ける。ＬＥＤユニット７０は、その取付部７２をピントレンズホルダ６０の射出側面６０ｂから直線溝６７内に挿入し、各ＬＥＤ７３を各収納凹部６６にそれぞれ挿入し、さらに、固定穴７４をピントレンズホルダ６０の係合突起６９に係合することにより、ピントレンズホルダ６０に組み付けられる。
【００３２】
次に、ファインダ表示チャート８０を、ピントレンズホルダ６０の射出側面６０ｂに、各収納凹部６６を塞ぐように、かつ、ファインダ表示チャート８０の各図が各収納凹部６６とそれぞれ対向するようにして張りつけ、その固定穴８１と切欠穴８２とを係合突起６８にそれぞれ係合する。
【００３３】
次いで、ピントレンズホルダ６０の射出側面６０ｂから、視野枠４０の両係止脚４４をレンズ保持穴６１に通してピントレンズホルダ６０の入射側面６０ａ側に突出させ、視野枠本体４１を、ピントレンズホルダ６０の射出側面６０ｂに当接させる。この際、視野枠４０の下端部でファインダ表示チャート８０を覆い、各表示用穴４３をファインダ表示チャート８０の各図と対向させる。さらに、ピントレンズホルダ６０の入射側面６０ａに、平凸レンズ１３の射出面１３ｂを近づけ、ピントレンズホルダ６０の作業用凹部６４において、両係止突起１７を両係止脚４４の係合穴４５にそれぞれ係合して平凸レンズ１３と視野枠４０を一体化し、平凸レンズ１３の各ストッパ１５、１６をピントレンズホルダ６０の係合凹部６２、６３にそれぞれ嵌合する。
【００３４】
最後に、係合穴９２を係合突起６５に嵌合させながら絞り９０をピントレンズホルダ６０の入射側面６０ａに貼着し、開口穴９１を平凸レンズ１３の入射面１４ａに対向させ、さらに、遮光テープ１００を、各表示用穴４３を避けるようにして、ピントレンズホルダ６０の射出側面６０ｂの下端部に貼着すれば、ファインダ内表示装置５０が完成する。
【００３５】
このようなファインダ内表示装置５０のいずれかのＬＥＤ７３を発光させると、ＬＥＤ７３から発せられた光が、そのＬＥＤ７３が収納された収納凹部６６の反射面６６ａによって反射され、該収納凹部６６と対向する図を透過する。そして、この図の像は、接眼レンズ３２を介して、上記視野範囲の外側に位置する状態で観察することができる。
【００３６】
このような本実施形態によれば、平凸レンズ１３の係止突起１５、１６を視野枠４０の係止脚４４の係合穴４５にそれぞれ係合して平凸レンズ１３と視野枠４０を一体化することにより、平凸レンズ１３と視野枠４０を高い組付性で結合できる。
【００３７】
さらに、平凸レンズ１３の各ストッパ１５、１６をピントレンズホルダ６０の係合凹部６２、６３にそれぞれ嵌合して、一体化された平凸レンズ１３と視野枠４０をピントレンズホルダ６０に組み付け、さらに、収納凹部６６に反射面６６ａを形成し、かつ、ＬＥＤユニット７０の取付部７２と各ＬＥＤ７３を直線溝６７と各収納凹部６６とにそれぞれ収納することにより、ファインダ内表示装置５０の小型化及びユニット化を実現している。
【００３８】
【発明の効果】
本発明によれば、ピントレンズと視野枠を高い組立性で結合でき、しかも、ファインダ内表示装置を小型化及びユニット化できる。
【図面の簡単な説明】
【図１】本発明の一実施形態のファインダ内表示装置の背面図である。
【図２】図１のＩＩ−ＩＩ線に沿う断面図である。
【図３】ピントレンズホルダと、平凸レンズと、視野枠の分解斜視図である。
【図４】ピントレンズホルダの正面図である。
【図５】ピントレンズホルダの背面図である。
【図６】図５のＶＩ線方向から見たピントレンズホルダの側面図である。
【図７】図５のＶＩＩ線方向から見たピントレンズホルダの側面図である。
【図８】図５のＶＩＩＩ線方向から見たピントレンズホルダの平面図である。
【図９】図５のＩＸ線方向から見たピントレンズホルダの底面図である。
【図１０】平凸レンズの正面図である。
【図１１】平凸レンズの背面図である。
【図１２】図１１のＸＩＩ線方向から見た平凸レンズの側面図である。
【図１３】図１１のＸＩＩＩ線方向から見た平凸レンズの側面図である。
【図１４】図１１のＸＩＶ線方向から見た平凸レンズの平面図である。
【図１５】視野枠の正面図である。
【図１６】図１５のＸＶＩ線方向から見た視野枠の側面図である。
【図１７】図１５のＸＶＩＩ線方向から見た視野枠の側面図である。
【図１８】図１５のＸＶＩＩＩ線方向から見た視野枠の平面図である。
【図１９】絞りの正面図である。
【図２０】ＬＥＤユニットの正面図である。
【図２１】ＬＥＤユニットの側面図である。
【図２２】ファインダ表示チャートの正面図である。
【図２３】ファインダ光学系を備えたカメラを示す正面図である。
【図２４】ファインダ光学系の平面図である。
【図２５】ファインダ光学系の背面図である。
【図２６】ファインダ光学系の側面図である。
【符号の説明】
１      カメラボディ
２      フィルムカートリッジ室
３      巻取スプール室
４      撮影レンズ
５      ファインダ光学系
６      撮影範囲
１０    対物光学系
１１    負レンズ
１２    正レンズ
１３    平凸レンズ（ピントレンズ）
１４    レンズ本体
１４ａ  入射面
１４ｂ  射出面
１５  １６  ストッパ
１７    係止突起
２１    プリズム
２１１  入射面
２１２  第１反射面
２１３  第２反射面
２１４  第３反射面
２１５  射出面
２２    平面ミラー
３０    接眼光学系
３１    正メニスカスレンズ
３２    接眼レンズ
３４    空間
４０    視野枠
４２    接眼レンズ
５０    ファインダ内表示装置
６０    ピントレンズホルダ
６０ａ  入射側面
６０ｂ  射出側面
６１    レンズ保持穴（ピントレンズ挿入開口）
６１ａ  上面
６１ｂ  下面
６１ｃ  ６１ｄ  側面
６２  ６３  係合凹部
６４    作業用凹部
６５    係合突起
６６    収納凹部
６６ａ  反射面
６７    直線溝
６８  ６９  係合突起
７０    ＬＥＤユニット
７１    フレキシブルプリント基板
７２    取付部
７３    ＬＥＤ
７４    固定穴
８０    ファインダ表示チャート
８１    固定穴
８２    切欠穴
９０    絞り
９１    開口穴
９２    係合穴
１００  遮光テープ
ＦＭ    フォーカスマーク
Ｏ１    入射光軸
Ｏ２    接続光軸
Ｏ３    射出光軸
【図１】
2004184523.tif 000003
【図２】
2004184523.tif 000004
【図３】
2004184523.tif 000005
【図４】
2004184523.tif 000006
【図５】
2004184523.tif 000007
【図６】
2004184523.tif 000008
【図７】
2004184523.tif 000009
【図８】
2004184523.tif 000010
【図９】
2004184523.tif 000011
【図１０】
2004184523.tif 000012
【図１１】
2004184523.tif 000013
【図１２】
2004184523.tif 000014
【図１３】
2004184523.tif 000015
【図１４】
2004184523.tif 000016
【図１５】
2004184523.tif 000017
【図１６】
2004184523.tif 000018
【図１７】
2004184523.tif 000019
【図１８】
2004184523.tif 000020
【図１９】
2004184523.tif 000021
【図２０】
2004184523.tif 000022
【図２１】
2004184523.tif 000023
【図２２】
2004184523.tif 000024
【図２３】
2004184523.tif 000025
【図２４】
2004184523.tif 000026
【図２５】
2004184523.tif 000027
【図２６】
2004184523.tif 000028